(57)【要約】【課題】  記録終了位置のアブソリュートトラックＮｏを参照し、記録終了位置のサーチを実行するＥｎｄサーチ機能に関し、無記録部等ＡＴＮが得られないテープ位置においても、Ｅｎｄサーチを確実に完了することを目的とする。【解決手段】  再生ＡＴＮが得られる記録エリアであればＥｎｄサーチを実行、再生ＡＴＮが得られない無記録エリアであればＥｎｄサーチを中断し、再生ＡＴＮが得られるエリアのサーチを実行した後、再度Ｅｎｄサーチを実行する。【選択図】        図１
2006065996.tif 000002
【特許請求の範囲】
【請求項１】
テープ状記録媒体上に形成された多数のトラックより情報信号と前記トラックの位置を示すトラック番号情報とを再生する再生手段と、
前回の記録終了位置のトラック番号情報を記憶する記憶手段と、
前記記憶手段にて記憶されたトラック番号を目標位置として前記テープ状記録媒体を搬送制御する第一のサーチモードと、前記テープ状記録媒体を搬送制御して前記トラック位置情報が記録されている位置を検索する第二のサーチモードとを切り換えながら、前記記録終了位置のトラックに前記テープ状記録媒体を搬送するサーチ手段とを備え、
前記サーチ手段は、前記再生手段からの出力信号より前記トラック位置情報が得られない場合、前記第二のサーチモードを実行し、前記第二のサーチモードにおいて前記再生手段から前記トラック番号情報が得られたことに応じて、前記第一のサーチモードを実行することを特徴とする再生装置。
【請求項２】
前記テープ状記録媒体を巻き取る巻き取りリール手段と、前記巻き取りリール手段の回転周から前記テープ状記録媒体のトラック位置を予測するトラック位置予測手段を有し、
前記サーチ手段は、前記再生手段からの出力信号より前記トラック位置情報が得られない場合、前記テープ状記録媒体の搬送方向を前記トラック位置予測手段より得られる予測値と前記記録終了位置との比較によって決定することを特徴とする請求項１記載の再生装置。
【請求項３】
前記サーチ手段は更に、前記第一のサーチモード実行中に前記再生手段からの出力信号より前記トラック番号情報が検出されなくなったことに応じて、再び前記第二のサーチモードを実行することを特徴とする請求項１記載の再生装置。
【発明の詳細な説明】
【技術分野】
【０００１】
本発明は再生装置に関し、特には記録終了位置を検索するサーチモードを備える装置に関する。
【背景技術】
【０００２】
デジタルビデオテープの記録フォーマットであるＳＤフォーマットでは、テープ上に形成された記録トラックに各々トラックの絶対番号、すなわちアブソリュートトラックＮｏ（以降、ＡＴＮ）が割り当てられている。
【０００３】
そして従来より記録の終了位置を検索する手段として、記録終了位置でのＡＴＮを「サーチポイント」として記憶し、サーチ実行時にはこの「サーチポイント」と、現在のテープ位置にて得られる「ＡＴＮ」が一致するようにサーチを実行するＥｎｄサーチ方式が提案されている（特許文献１参照）。
【０００４】
図２（ａ）にテープのトラック記録状態、（ｂ）に同テープ位置より得られるＡＴＮを示す。
【０００５】
ここでＡＴＮは、トラックが形成されている記録エリアではトラックより再生される。
【０００６】
一方無記録部では、巻き取りリールの回転周期から巻き取りリールに巻かれるテープ長を予測、更にテープ長からＡＴＮを予測する。但しリールの回転周期から予測するＡＴＮはばらつきが大きい為、ここでは本来あるべき値よりも大きめの値を予測値として出力し、テープ正送り方向に対しＡＴＮが後戻りしないようにしている。
【０００７】
図４は従来のＥｎｄサーチ方式を実現するための再生装置の要部を示すブロック図である。
【０００８】
同図において４−１は図示しないテープにトレースし、テープ上に記録トラックを形成、ないしテープ上に形成されたトラックの情報を再生するヘッドアンプ部、４−２はヘッドアンプ部４−１の記録ないし再生動作を制御する記録／再生制御部、４−３は再生されたトラック情報の中からＡＴＮデータを抽出するＡＴＮ検出部、４−４は４−２より送られる記録／再生情報を検出し、記録終了直後に再生されたＡＴＮをＥｎｄサーチのサーチポイントとして記憶するサーチポイント記憶部、４−５はテープを巻き取る巻き取りリールの回転に応じて発生するパルス信号を検出するリールＦＧ検出部、４−６はリールＦＧ検出部４−５にて検出されたリールＦＧの発生タイミングからリール回転周期を計測しＡＴＮ予測値を出力するＡＴＮ予測部、４−７はＡＴＮ検出部４−３で検出されたＡＴＮあるいは、ＡＴＮ検出部４−３でＡＴＮが検出されない場合にはＡＴＮ予測部４−６より出力されるＡＴＮ予測値をＡＴＮデータとして選択的に取り込み、取り込まれたＡＴＮとサーチポイント記憶部４−４で記憶されたサーチポイントの比較に応じて、テープ給送情報を出力するサーチ制御部（１）、４−８はテープを給送するキャプスタンモータ、４−９はキャプスタンモータ４−８の回転に応じて発生するパルス信号を検出するキャプスタンＦＧ検出部、４−１０はサーチ制御部（１）４−７より出力されるテープ給送情報とキャプスタンＦＧ検出部４−９より出力されるキャプスタンＦＧの周期を計測しながら、サーチ制御部（１）４−７より出力されるテープ給送情報に応じてキャプスタンモータ４−８の回転制御を行うキャプスタン制御部である。
【０００９】
図２（ｂ）に示すようなＡＴＮ情報が得られるテープでＥｎｄサーチを実行した場合のサーチ制御部（１）４−７の動作を図３のフローチャート、および図２（ｃ）のＥｎｄサーチシーケンスを用いて説明する。
【００１０】
まずテープ位置がポイント（１）にある場合、Ｓ３−１にてサーチポイントが再生ＡＴＮよりも大きいと判定され、正方向サーチを実行するＳ３−２に進む。
【００１１】
Ｓ３−２ではサーチポイントが現在得られるＡＴＮよりも１８００以上大きいと判定され、Ｓ３−３にて正９倍速でサーチを実行（２−ｃ−１）、その後もＳ３−１、Ｓ３−２、Ｓ３−３の処理が繰り返し行われる。
【００１２】
一方Ｓ３−２にて１８００未満が判定されると、Ｓ３−４に進む。Ｓ３−４ではサーチポイントが現在得られるＡＴＮよりも３００以上であると判定されＳ３−５に進み、正３倍速でサーチを実行（２−ｃ−２）、その後もＳ３−１、Ｓ３−２、Ｓ３−４、Ｓ３−５の処理が繰り返し行われる。
【００１３】
やがてサーチポイントに接近し、Ｓ３−４にて３００未満と判定されると、Ｓ３−６に進みテープ給送を停止、更にＳ３−７にてテープが完全に静止するのを待つ。
【００１４】
Ｓ３−８に進むとサーチポイントが現在得られるＡＴＮと一致していないと判定、Ｓ３−９に進み１フレームだけ正コマ送りを実行（２−ｃ−３）、その後もＳ３−１、Ｓ３−２、Ｓ３−４、Ｓ３−６、Ｓ３−７、Ｓ３−８、Ｓ３−９の処理が繰り返される。
【００１５】
そしてＳ３−８にてサーチポイントが現在得られるＡＴＮと一致していると判定されると、ここでＥｎｄサーチが完了する（２−ｃ−４）。
【００１６】
次にテープ位置が無記録エリアであるポイント（２）にある場合に関して説明を行う。
【００１７】
まずＳ３−１にてサーチポイントが再生ＡＴＮよりも小さいと判定され、逆方向サーチを実行するＳ３−１２に進む。
【００１８】
Ｓ３−１２ではサーチポイントが現在得られるＡＴＮよりも１８００以上小さいと判定され、Ｓ３−１３にて逆９倍速でサーチを実行（２−ｃ−５）、その後もＳ３−１、Ｓ３−１２、Ｓ３−１３の処理が繰り返し行われる。
【００１９】
ここで無記録部と記録部のＡＴＮが連続的につながって得られる場合は、Ｓ３−１２にて１８００未満が判定されると、Ｓ３−１４に進み、ここで３００以上であると判定されＳ３−１５にて逆３倍速でサーチを実行、次いでＳ３−１４にて３００未満と判定されると、Ｓ３−１６にてテープ給送を停止、更にＳ３−１７にてテープが完全に静止するのを待った後、Ｓ３−１８でサーチポイントが現在得られるＡＴＮとの一致が検出されるまでＳ３−１９にて１フレーム逆コマ送りを実行する。
【００２０】
しかし無記録エリアで得られるＡＴＮは予測値であり、その値は図２（ｂ）の破線の範囲で表す様にばらつき範囲を持っているので、記録エリアと無記録エリアの境界位置では、ＡＴＮは非連続となる可能性が大きい。
【００２１】
記録部と無記録部でＡＴＮに大きな非連続部が発生する場合は、逆９倍速のまま記録エリアに突入し、サーチポイントに到達する為、Ｓ３−１、Ｓ３−１２、Ｓ３−１４を経て、Ｓ３−１６にてテープ給送を停止する。しかし高速給送中からの停止の為、サーチポイントをオーバーランして停止することになる。
【００２２】
次いでＳ３−１７にてテープが完全に静止するのを待った後、Ｓ３−１８ではサーチポイントが現在得られるＡＴＮと一致していないと判定され、Ｓ３−１９にて１フレームだけ逆コマ送りを実行しＳ２−１に戻る（２−ｃ−６）。
【００２３】
Ｓ２−１ではサーチポイントからオーバーランして止まっているため、サーチポイントが再生ＡＴＮよりも大きいと判定されることになり、ここでＥｎｄサーチが逆方向サーチから、正方向サーチに切り替わることになる。
【００２４】
以降はテープ位置がポイント（１）からのＥｎｄサーチで説明した処理と同様の処理を経て、Ｅｎｄサーチが完了することになる。
【特許文献１】特開平８−５０７７９号公報
【発明の開示】
【発明が解決しようとする課題】
【００２５】
しかしながら従来のＥｎｄサーチ方式では、図５（ａ）の様な無記録エリアから記録が実行された記録パターンになった場合には、図５（ｂ）のエリア２−ａに示すようにＡＴＮ予測値とサーチポイントが一致するエリアが発生してしまう。このような記録テープでＥｎｄサーチを実行した場合、
１）無記録エリアであるポイント（１）から正方向サーチを開始（５−ｃ−１）、
２）正３倍速でエリア２−ａに突入すると、サーチポイントに達したと誤判定し、無記録エリアで静止（５−ｃ−２）、
３）このまま無記録部分でサーチが完了してしまうか、あるいはＡＴＮ予測値がサーチ中に常にばらつく場合には、低速サーチ（正／逆３倍速）での追い込みが完了しない（５−ｃ−３，５−ｃ−４）、
といったシーケンスにはまるため、Ｅｎｄサーチが完了しない状態に陥ってしまうという問題があった。
【００２６】
本発明はこの様な問題を解決し、トラック位置情報が記録されていない未記録領域を含むテープ状記録媒体における記録終了位置を正確に検索可能な装置を提供することを目的とする。
【課題を解決するための手段】
【００２７】
前記課題を解決するために本発明の第一の発明に係る再生装置は、テープ状記録媒体上に形成された多数のトラックより情報信号と前記トラックの位置を示すトラック番号情報とを再生する再生手段と、前回の記録終了位置のトラック番号情報を記憶する記憶手段と、前記記憶手段にて記憶されたトラック番号を目標位置として前記テープ状記録媒体を搬送制御する第一のサーチモードと、前記テープ状記録媒体を搬送制御して前記トラック位置情報が記録されている位置を検索する第二のサーチモードとを切り換えながら、前記記録終了位置のトラックに前記テープ状記録媒体を搬送するサーチ手段とを備え、前記サーチ手段は、前記再生手段からの出力信号より前記トラック位置情報が得られない場合、前記第二のサーチモードを実行し、前記第二のサーチモードにおいて前記再生手段から前記トラック番号情報が得られたことに応じて、前記第一のサーチモードを実行する構成を備える。
【発明の効果】
【００２８】
本発明によれば、テープ位置情報が記録されていない部分を含む場合においても、正確に最終記録位置を検出することができる。
【発明を実施するための最良の形態】
【００２９】
以下に本発明を実施するための最良の形態を、実施例に基づいて説明する。
【実施例１】
【００３０】
図１は本発明第一の実施例を実現するための再生装置の要部を示すブロック図であり、従来のＥｎｄサーチ方式の要部を示すブロック図に対し、サーチ制御部（１）４−７に変わって本発明を実現するサーチ制御部（２）１−７が設定されている。
【００３１】
ここで図６（ａ）の様な無記録エリアから記録が実行された記録パターンにて、図６（ｂ）のエリア２−ａに示すようにＡＴＮ予測値とサーチポイントが一致するエリアが発生するテープでＥｎｄサーチを実行した場合のサーチ制御部（２）１−７の動作を図７のフローチャート、および図６（ｃ）の動作遷移図を用いて説明する。
【００３２】
まずＳ７−１では再生ＡＴＮの有無を判別し、有りが判別されるとＳ７−７に進み、サーチ中を案内するサーチフラグをセットした後、Ｓ３−１にＥｎｄサーチを開始する。ここでＳ３−１以下の処理は、従来のＥｎｄサーチ方式の構成要素であるサーチ制御部（１）の動作を示すフローチャート図３の中で同符号で示す処理と同等の処理を行うもので、ここではその説明を省略する。一方Ｅｎｄサーチ開始位置が図６中のサーチ開始位置（１）にある場合、Ｓ７−１で再生ＡＴＮが無しと判別されＳ７−２に進む。ここでは記録終了位置のサーチを中断し、再生ＡＴＮのサーチが実行される。Ｓ７−２でサーチ状態を判別、サーチ開始状態でサーチフラグがクリアされていればＳ７−３にてサーチフラグをセットし、Ｓ７−４でサーチポイント（記録終了位置）とＡＴＮ予測値との比較を行い、その大小判定結果に応じてＳ７−５ないしＳ７−６にて正９倍速ないし逆９倍速で再生ＡＴＮのサーチを実行する。一旦再生ＡＴＮのサーチが開始されると、以降再生ＡＴＮが検出されるまで処理Ｓ７−１、Ｓ７−２を繰り返し処理し、サーチ状態を維持する（６−ｃ−１）。やがてテープ位置が記録エリア（１）に突入し再生ＡＴＮが検出されると、Ｓ７−１からＳ７−７に分岐し、Ｓ７−７にてサーチフラグをセットした後、Ｓ３−１に進みＥｎｄサーチを開始する（６−ｃ−２）。しかしＥｎｄサーチ中に再び無記録エリアに突入するとＳ７−１からＳ７−２に分岐し、ここでＥｎｄサーチを中断、再生ＡＴＮのサーチを再開する。但しＳ７−２では、このときサーチはすでに実行され、サーチフラグがセットされているのでそのままＳ７−１に戻り、Ｓ７−３以下のサーチ方向及び速度の再設定はせず、現状サーチモードが維持される（６−ｃ−３）。
【００３３】
サーチモードを維持したまま記録エリア（２）に突入し、再生ＡＴＮが検出されると、Ｓ７−１からＳ７−７、更にＳ３−１に進みＥｎｄサーチを再開する（６−ｃ−４）。記録エリア（２）はサーチポイントである記録終了位置が存在するので、よってＳ３−８ないしＳ３−１８でサーチポイントとＡＴＮの一致が検出され、Ｅｎｄサーチが正常に終了する。
【実施例２】
【００３４】
本発明第一の実施例では、Ｒｅｃ終了時のＡＴＮをサーチポイントとして設定しＡＴＮサーチを実行する「Ｅｎｄサーチ方式」の精度改善方法の提案を行ったが、このＡＴＮサーチを実行するサーチ方式としては、その他適用例が存在しており、そこで本発明第二の実施例では、ＡＴＮサーチの代表例でありテープ編集の基本操作となる「カットイン／カットアウト編集」を取り上げ、本発明第一の実施例で提案したサーチ方式の精度改善の応用例を提案する。
【００３５】
図８は本発明第二の実施例を実現するための再生装置の要部を示すブロック図である。
【００３６】
本発明第一の実施例ではその構成要素として、サーチポイントを設定するサーチポイント記憶部４−４（図１中）が設けられていたが、
本発明第二の実施例の構成要素では、サーチポイントを設定する手段としてカットイン／カットアウトポイント設定部８−１、更にテープ編集を実現するためのカットアウトポイント検出部８−２が設けられているが、このカットイン／カットアウトポイント設定部８−１、カットアウトポイント検出部８−２は従来の「カットイン／カットアウト編集」を実現する再生装置の構成要素であり、つまり本発明第二の実施例は本発明第一の実施例として提案したサーチ制御部（２）１−７の処理方式をそのまま適用することによって実現される。
【００３７】
カットイン／カットアウトポイント設定部８−１、カットアウトポイント検出部８−２の動作に関しては図９（ａ）および（ｂ）のフローチャート図を用いて説明する。
【００３８】
まずカットイン／カットアウトポイント設定部８−１は編集カットの設定に先立ってＳ９−１にて編集カットのシーン番号ｎを０クリアする。次いでＳ９−２、Ｓ９−３にて操作者の編集カット設定操作にしたがってカットインポイントＣｕｔＩｎ（ｎ）、カットアウトポイントＣｕｔＯｕｔ（ｎ）およびシーン番号ｎのインクリメントを行う。
【００３９】
編集カットの設定が完了するとＳ９−４にて、シーン番号ｎをポイント数として設定、およびシーン番号ｎを０クリアした後、Ｓ９−５に進みカットイン／カットアウト編集を開始する。
【００４０】
カットイン／カットアウト編集はまずＳ９−５で、先に設定されたカットインポイントＣｕｔＩｎ（ｎ）をサーチポイントとしてサーチ制御部（２）１−７に出力する。サーチ制御部（２）１−７の動作は本発明第一の実施例で説明したとおりである。Ｓ９−６にてサーチ制御部（２）１−７の処理状態を監視、サーチ制御部（２）１−７の処理完了が検出されると、Ｓ９−７にてカットアウトポイントＣｕｔＯｕｔ（ｎ）をカットアウトポイント検出部８−２に出力すると共に、シーン番号ｎのインクリメントを行う。
【００４１】
ここでカットアウトポイント検出部８−２はＳ９−１１にてカットアウトポイントが入力されるとＳ９−１２に進み、ここで記録／再生制御部４−２およびキャプスタン制御部４−１０にテープ再生のための制御信号を出力する。Ｓ９−１３ではＡＴＮ検出部４−３ないしＡＴＮ予測部４−６より得られるＡＴＮとカットアウトポイントを比較、ＡＴＮとカットアウトポイントが一致し、テープ位置がカットアウトポイントに到達したと判別されると、Ｓ９−１４に進み、記録／再生制御部４−２およびキャプスタン制御部４−１０にテープ再生を終了するための制御信号を出力し、処理を終了する。
【００４２】
再びカットイン／カットアウトポイント設定部８−１の処理に戻る。Ｓ９−７にてカットアウトポイントＣｕｔＯｕｔ（ｎ）を出力後、Ｓ９−８にてカットアウトポイント検出部８−２の処理状態を監視、カットアウトポイント検出部８−２の処理終了が検出されると、Ｓ９−９に進む。Ｓ９−９ではポイント数とシーン番号を比較、すべてのシーンの編集が完了し、シーン番号がポイント数と一致するまでＳ９−５〜Ｓ９−９を繰り返し実行した後、カットイン／カットアウトポイント設定部８−１の処理が終了する。
【００４３】
以上が「カットイン／カットアウト編集」の動作の説明であり、この編集動作にサーチ制御部（２）１−７の処理方式をそのまま適用することによって、本発明第二の実施例の目的である「カットイン／カットアウト編集」の精度改善が達せられる。
【図面の簡単な説明】
【００４４】
【図１】本発明第一の実施例を実現するための再生装置の要部を示すブロック図
【図２】従来例におけるＥｎｄサーチシーケンスの説明図
【図３】従来例におけるサーチ制御部（１）の動作を示すフローチャート図
【図４】従来例を実現するための再生装置の要部を示すブロック図
【図５】発明が解決しようとする課題の説明図
【図６】本発明第一の実施例におけるＥｎｄサーチシーケンスの説明図
【図７】本発明第一の実施例におけるサーチ制御部（２）の動作を示すフローチャート図
【図８】本発明第二の実施例を実現するための再生装置の要部を示すブロック図
【図９】本発明第二の実施例におけるカットイン／カットアウトポイント設定部およびカットアウトポイント検出部の動作を示すフローチャート図
【符号の説明】
【００４５】
１−７  サーチ制御部（２）
４−１  ヘッドアンプ部
４−２  記録／再生制御部
４−３  ＡＴＮ検出部
４−４  サーチポイント記憶部
４−５  リールＦＧ検出
４−６  ＡＴＮ予測部
４−７  サーチ制御部（１）
４−８  キャプスタンモータ
４−９  キャプスタンＦＧ検出部
４−１０  キャプスタン制御部
８−１  カットイン／カットアウトポイント設定部
８−２  カットアウトポイント検出部
【図１】
2006065996.tif 000003
【図２】
2006065996.tif 000004
【図３】
2006065996.tif 000005
【図４】
2006065996.tif 000006
【図５】
2006065996.tif 000007
【図６】
2006065996.tif 000008
【図７】
2006065996.tif 000009
【図８】
2006065996.tif 000010
【図９】
2006065996.tif 000011